【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
Ｉピクチャ、Ｐピクチャ及びＢピクチャを含む複数のフレームで構成される画像データを入力して動き補償予測符号化を行う画像処理装置であって、
前記Ｉピクチャをフレーム内予測により符号化する第１符号化手段と、
参照ピクチャを参照して前記Ｐピクチャを符号化する第２符号化手段と、
前記第１及び第２符号化手段による符号化の後、前記Ｉピクチャ又はＰピクチャの間に存在する複数の前記Ｂピクチャを、前記参照ピクチャを参照して符号化する第３符号化手段と、
前記画像データの符号化の途中で、前記第３符号化手段で符号化されたＢピクチャを復号したピクチャを、前記参照ピクチャとして使用するか否かを判定する判定手段と、
前記判定手段によって、前記第３符号化手段で符号化されたＢピクチャを復号したピクチャを前記参照ピクチャとして使用するように判定されると、前記Ｂピクチャを復号したピクチャにより前記参照ピクチャを更新する更新手段と、
を有することを特徴とする画像処理装置。
【請求項２】
前記参照ピクチャは、複数枚を組みにして第１及び第２参照リストを構成し、各参照リストの各参照ピクチャに対して動き補償予測を行うためのものであり、
前記Ｐピクチャは、前記第１参照リストの参照ピクチャに対して動き補償予測を行うためのものであり、前記Ｂピクチャは前記第１及び第２参照リストに対して動き補償予測を行うためのものであることを特徴とする請求項１に記載の画像処理装置。
【請求項３】
前記判定手段は、前記画像データの性質に基づいて、前記Ｂピクチャを復号したピクチャを参照ピクチャとして使用するか否かを判定することを特徴とする請求項１又は２に記載の画像処理装置。
【請求項４】
前記画像データの性質は、画像データの輝度レベル、色情報、レベル分布、レベル分散、周波数特性の少なくともいずれか、又はこれらのいずれかの組み合わせを含むことを特徴とする請求項３に記載の画像処理装置。
【請求項５】
前記判定手段は、前記画像データを圧縮した際の符号化の状態によって、前記Ｂピクチャを復号したピクチャを参照ピクチャとして使用するか否かを判定することを特徴とする請求項１又は２に記載の画像処理装置。
【請求項６】
前記符号化の状態は、符号量、量子化パラメータの値、圧縮率、符号劣化によるＳ／Ｎ値、動きベクトルの長さ、動きベクトルの符号量の少なくともいずれか、又はこれらいずれかの組み合わせを含むことを特徴とする請求項５に記載の画像処理装置。
【請求項７】
前記画像処理装置は撮像装置で使用され、
前記判定手段は、レンズの移動量、画像のピント状態、撮像領域の空間的移動量の少なくともいずれか、或はこれらのいずれかの組み合わせに基づいて、前記復号したピクチャを参照ピクチャとして使用するか否かを判定することを特徴とする請求項１乃至６のいずれか１項に記載の画像処理装置。
【請求項８】
Ｉピクチャ、Ｐピクチャ及びＢピクチャを含む複数のフレームで構成される画像データを入力して動き補償予測符号化を行う画像処理方法であって、
前記Ｉピクチャをフレーム内予測により符号化する第１符号化工程と、
参照ピクチャを参照して前記Ｐピクチャを符号化する第２符号化工程と、
前記第１及び第２符号化工程での符号化の後、前記Ｉピクチャ又はＰピクチャの間に存在する複数の前記Ｂピクチャを、前記参照ピクチャを参照して符号化する第３符号化工程と、
前記画像データの符号化の途中で、前記第３符号化工程で符号化されたＢピクチャを復号したピクチャを、前記参照ピクチャとして使用するか否かを判定する判定工程と、
前記判定工程で、前記第３符号化工程で符号化されたＢピクチャを復号したピクチャを前記参照ピクチャとして使用するように判定されると、前記Ｂピクチャを復号したピクチャにより前記参照ピクチャを更新する更新工程と、
を有することを特徴とする画像処理方法。
【請求項９】
前記参照ピクチャは、複数枚を組みにして第１及び第２参照リストを構成し、各参照リストの各参照ピクチャに対して動き補償予測を行うためのものであり、
前記Ｐピクチャは、前記第１参照リストの参照ピクチャに対して動き補償予測を行うためのものであり、前記Ｂピクチャは前記第１及び第２参照リストに対して動き補償予測を行うためのものであることを特徴とする請求項８に記載の画像処理方法。
【請求項１０】
前記判定工程では、前記画像データの性質に基づいて、前記Ｂピクチャを復号したピクチャを参照ピクチャとして使用するか否かを判定することを特徴とする請求項８又は９に記載の画像処理方法。
【請求項１１】
前記画像データの性質は、画像データの輝度レベル、色情報、レベル分布、レベル分散、周波数特性の少なくともいずれか、又はこれらのいずれかの組み合わせを含むことを特徴とする請求項１０に記載の画像処理方法。
【請求項１２】
前記判定工程では、前記画像データを圧縮した際の符号化の状態によって、前記Ｂピクチャを復号したピクチャを参照ピクチャとして使用するか否かを判定することを特徴とする請求項８又は９に記載の画像処理方法。
【請求項１３】
前記符号化の状態は、符号量、量子化パラメータの値、圧縮率、符号劣化によるＳ／Ｎ値、動きベクトルの長さ、動きベクトルの符号量の少なくともいずれか、又はこれらいずれかの組み合わせを含むことを特徴とする請求項１２に記載の画像処理方法。
【請求項１４】
前記画像処理方法は撮像装置で実行され、
前記判定工程は、レンズの移動量、画像のピント状態、撮像領域の空間的移動量の少なくともいずれか、或はこれらのいずれかの組み合わせに基づいて、前記復号したピクチャを参照ピクチャとして使用するか否かを判定することを特徴とする請求項８乃至１３のいずれか１項に記載の画像処理方法。
【手続補正２】
【補正対象書類名】明細書
【補正対象項目名】００２５
【補正方法】変更
【補正の内容】
【００２５】
上記目的を達成するために本発明の一態様に係る画像処理装置は以下のような構成を備える。即ち、
Ｉピクチャ、Ｐピクチャ及びＢピクチャを含む複数のフレームで構成される画像データを入力して動き補償予測符号化を行う画像処理装置であって、
前記Ｉピクチャをフレーム内予測により符号化する第１符号化手段と、
参照ピクチャを参照して前記Ｐピクチャを符号化する第２符号化手段と、
前記第１及び第２符号化手段による符号化の後、前記Ｉピクチャ又はＰピクチャの間に存在する複数の前記Ｂピクチャを、前記参照ピクチャを参照して符号化する第３符号化手段と、
前記画像データの符号化の途中で、前記第３符号化手段で符号化されたＢピクチャを復号したピクチャを、前記参照ピクチャとして使用するか否かを判定する判定手段と、
前記判定手段によって、前記第３符号化手段で符号化されたＢピクチャを復号したピクチャを前記参照ピクチャとして使用するように判定されると、前記Ｂピクチャを復号したピクチャにより前記参照ピクチャを更新する更新手段とを有することを特徴とする。
【手続補正３】
【補正対象書類名】明細書
【補正対象項目名】００２６
【補正方法】変更
【補正の内容】
【００２６】
上記目的を達成するために本発明の一態様に係る画像処理方法は以下のような工程を備える。即ち、
Ｉピクチャ、Ｐピクチャ及びＢピクチャを含む複数のフレームで構成される画像データを入力して動き補償予測符号化を行う画像処理方法であって、
前記Ｉピクチャをフレーム内予測により符号化する第１符号化工程と、
参照ピクチャを参照して前記Ｐピクチャを符号化する第２符号化工程と、
前記第１及び第２符号化工程での符号化の後、前記Ｉピクチャ又はＰピクチャの間に存在する複数の前記Ｂピクチャを、前記参照ピクチャを参照して符号化する第３符号化工程と、
前記画像データの符号化の途中で、前記第３符号化工程で符号化されたＢピクチャを復号したピクチャを、前記参照ピクチャとして使用するか否かを判定する判定工程と、
前記判定工程で、前記第３符号化工程で符号化されたＢピクチャを復号したピクチャを前記参照ピクチャとして使用するように判定されると、前記Ｂピクチャを復号したピクチャにより前記参照ピクチャを更新する更新工程とを有することを特徴とする。